(57)【要約】  【課題】  簡単な構造にて、設置工事の際の組立て工程数を減らし、製作コストや製作時間を低減した太陽光発電システムを提供する。  【解決手段】  架台５２，５３は、穴を備えた連結ガイド部７を有するとともに、連結部材５は、下方部材２７と、爪部２９を備えた上方部材２６と、下方部材２７及び上方部材２６を締め付ける締結部材２８と、上方部材２６の上方に延びる押圧部材２４とを有し、爪部２９を連結ガイド部７の穴６に挿入するとともに、太陽電池モジュールの枠体１０を、締結部材２８を締め付けて、押圧部材２４と架台５２，５３との間で挟持する。  【選択図】  図３
2006278481.tif 000002
【特許請求の範囲】
【請求項１】
太陽電池パネルの外周に枠体を設けて成る太陽電池モジュールと、前記太陽電池モジュールが固定される架台と、前記太陽電池モジュールおよび前記架台を固定する連結部材とを備えた太陽光発電システムであって、
前記架台は、穴を備えた連結ガイド部を有するとともに、
前記連結部材は、下方部材と、爪部を備えた上方部材と、前記下方部材及び上方部材を締め付ける締結部材と、前記上方部材の上方に延びる押圧部材とを有し、
前記連結部材の爪部を前記連結ガイド部の穴に挿入するとともに、前記太陽電池モジュールの枠体を、前記締結部材を締め付けて、前記押圧部材と架台との間で挟持することを特徴とする太陽光発電システム。
【請求項２】
前記連結部材により、隣接する複数個の前記架台と、前記太陽電池モジュールとが一括して固定されることを特徴とする請求項1に記載の太陽光発電システム。
【請求項３】
前記架台は、上方架台および下方架台からなり、これら架台により前記太陽電池モジュールを支持するようにしたことを特徴とする請求項１乃至請求項２に記載の太陽光発電システム。
【請求項４】
前記上方架台の複数、および底辺架台の複数を用いて、その間にサイズの異なる太陽電池モジュールを載置可能と成したことを特徴とする請求項３に記載の太陽光発電システム。
【請求項５】
前記上方架台の複数、および底辺架台の複数を用いて、サイズの異なる太陽電池モジュールを混在して載置可能と成したことを特徴とする請求項３乃至請求項４に記載の太陽光発電システム。
【発明の詳細な説明】
【技術分野】
【０００１】
本発明は、太陽エネルギーを利用して発電を行う太陽電池モジュールなどの太陽光発電システムに関し、とくに架台を用いて陸屋根上などに設置し固定する太陽光発電装置を複数個配列してなる太陽光発電システムに関するものである。
【背景技術】
【０００２】
近年、太陽光を光に変換する太陽電池を用いて住宅の屋根などを発電部とする太陽光発電装置が普及しているが、この装置によれば、様々な屋根形状に合わせて太陽電池素子を複数接続した太陽電池モジュールが作られるようになっている。
【０００３】
また、その屋根への取り付け方法も様々であり、屋根部材と一体的に製造された屋根一体型太陽電池モジュールや、屋根上の瓦材の上に縦桟や横桟を用いて架台を組んで、そこに太陽電池モジュールを設置する、いわゆる屋根置き型と呼ばれる設置方法などがある。そして多くの場合、このような太陽電池モジュールの設置においては複数の太陽電池モジュールを直列や並列に接続して希望する発電容量とした太陽光発電システムとしている。
【０００４】
また、前述した設置方法によれば、主に傾斜した屋根上に設置することが前提となっているため、ビルの屋上のように屋根上がほぼ平坦な状態をした住宅屋根（陸屋根と称する）に、その太陽光発電装置をそのまま水平設置すると、太陽電池モジュールへの太陽光の入射角度が浅くなり、これにより、通常、３０〜４０％程度の発電量の低下を生じさせていた。
【０００５】
そこで、図１２に示すような架台上に太陽電池モジュールを固定し、ひとつのユニットとした太陽光発電装置の構造が提案されている。
【０００６】
この太陽光発電装置によれば、太陽電池モジュールを傾斜設置するための架台を用いて、太陽電池モジュールを傾斜支持させている。
【０００７】
具体的には、まず水平設置面であるコンクリート製の屋根に穴を空けてアンカー埋設工事を行い、前記アンカーに固定される基礎１をコンクリートなどの重量物によって形成する。これにより、屋根へ打ち込まれたアンカーボルトなどによって基礎１が設置場所に固定され、さらに基礎１の自重によって風等による負圧荷重で太陽電池モジュール等が飛ばされないよう支えられる。
【０００８】
つぎに複数の基礎１間の上に長尺の金属部材である基台レール４を据え付け、前記基台レール４上に太陽電池モジュール４０を支持する支持金具３（３ａ〜３ｃ）を固定し、これによって太陽電池モジュール２を支持固定する。
【０００９】
前記支持金具３ａ〜３ｃはそれぞれ長さが異なっており、たとえば支持金具３ａが一番短く、支持金具３ｃが最も長いように構成することで、太陽電池モジュール４０の設置角度に傾斜を持たせ、太陽光発電時の発電効率を向上させる。そして、この太陽光発電装置を複数配置して必要とする発電容量の太陽光発電システムとする。
【００１０】
上記のごとき、太陽電池モジュール４０によれば、図１１に示すような構成である。
【００１１】
たとえば、シリコン等から成る太陽電池素子１３の光電変換効果を利用して電力が得られるように構成したものであって、このような太陽電池素子１３を複数個直列および並列に電気的に接続し、そして、耐候性のある素材で覆うように成し、所要の出力電圧や出力電流を得るようにしている。
【００１２】
この太陽電池素子１３は単結晶や多結晶シリコンなどの結晶系太陽電池や、薄膜系太陽電池などにより構成する。
【００１３】
かかる太陽電池モジュール５１においては、太陽電池素子１３の受光面にはガラス板や合成樹脂板などの光透過板１４を配置し、その裏面である非受光面にはテフロン（登録商標）フィルムやＰＶＦ（ポリフッ化ビニル）、ＰＥＴ（ポレエチレンテレフタレート）などの耐候性フィルム１６を被着し、光透過板１４と耐候性フィルム１６との間には、たとえばＥＶＡ（エチレン−酢酸ビニル共重合樹脂）などから成る透明な合成樹脂を介在し、充填材１５と成し、これら光透過板１４、太陽電池素子１３および耐候性フィルム１６の重ね構造の矩形状の本体に対し、その各辺周囲をアルミニウム金属やＳＵＳ等から成る枠体１０を挟み込むように装着し、これにより、太陽電池部全体の強度を高めるとともに、枠体１０には取付用の穴が開けられており、これを用いて支持金具３にボルトやねじで固定できるようにしている。
【００１４】
また、支持金具３については、太陽電池モジュールを複数同時に支持するように成してもよく、たとえば、支持金具３ｂと支持金具３ｃをひとつの部材として部品点数を削減する技術も提案されている（特許文献１参照）。
【００１５】
また、アンカー等の埋設工事を必要とせず、複数のレール材で組まれた架台の下部にコンクリート等の重量物を載置して、自重によって風等の負圧荷重に耐えられるようにした技術も提案されている（特許文献２参照）。
【特許文献１】特開平１１−１７７１１５号
【特許文献２】特開２００３−２３４４９２号
【発明の開示】
【発明が解決しようとする課題】
【００１６】
しかしながら、上記の従来技術によれば、基礎工事を行うことによって工事期間が長くなるという問題点があった。
【００１７】
また、設置面にアンカー打ちを必要とするために穴を開けることに起因して、そこから雨水が浸入するなどして設置面を痛め、損傷を与え、これにより、設置面の寿命を短くするという問題点もあった。
【００１８】
また、特許文献１によれば、アンカー工事をせずに発電する架台を提案しているが、太陽電池を設置する架台の構造として開示されたものは、構成部材が多く、組立てに時間を要するものである。
【００１９】
さらに風によって発生する風荷重対策については、カウンターウェイトと呼ばれる重量物を架台の枠内に挿入する構造としているが、設置面に架台を全て設置し、その後に架台のレールの間を縫うようにしてカウンターウェイトを架台枠内に挿入することは、極めて困難な作業であって、カウンターウェイト挿入後に太陽電池モジュールを固定しなければならないといった工事の段取りに制限が生じることになっていた。
【００２０】
また、特許文献２によれば、基礎部と呼ばれる部品を設置面に置き、前後左右の太陽電池と共有することによって部品点数を減らし、これにより、従来工法に対し部品点数の削減等が改善されるが、その反面、基礎部を正確に設置するために墨だし作業を正確に行わなければならず、もし、墨だし作業を正確に行うことができなければ、前後左右の太陽電池は正確に取り付けすることができず、作業者が現場で設置していかなければならず、個々への対応により組立てに時間を要することになる。
【００２１】
また、墨だしを正確に行おうとしても、設置面のうねり、水抜き勾配、つなぎ面があり、ボルト固定（一般にＭ６〜Ｍ８程度）で太陽電池を固定する構造であれば、取り付け穴とボルト勘合部とのギャップ、すなわち３〜６ｍｍ程度の精度で墨出し作業を行わなければならず、ボルトでの勘合が極めて難しい。
【００２２】
また、上述したいずれの技術においても、太陽電池を枠材や基礎部に固定する場合、太陽電池の大きさや取り付け穴のピッチは予め定められたものであり、大きさの異なる太陽電池を混在して固定させることは困難であった。
【００２３】
したがって本発明は、このような課題に鑑みて完成されたものであり、その目的は複数の太陽光発電装置を簡易に配列するとともに、太陽電池の載置を同時に成しえる太陽光発電システムを提供することにある。
【００２４】
本発明の他の目的は、簡単な構造にて、設置工事の際の組立て工程数を減らし、製作コストや製作時間を低減し、これによって低コスト化を達成した太陽光発電システムを提供することにある。
【課題を解決するための手段】
【００２５】
本発明の太陽光発電システムは、太陽電池パネルの外周に枠体を設けて成る太陽電池モジュールと、前記太陽電池モジュールが固定される架台と、前記太陽電池モジュールおよび前記架台を固定する連結部材とを備えた太陽光発電システムであって、前記架台は、穴を備えた連結ガイド部を有するとともに、前記連結部材は、下方部材と、爪部を備えた上方部材と、前記下方部材及び上方部材を締め付ける締結部材と、前記上方部材の上方に延びる押圧部材とを有し、前記連結部材の爪部を前記連結ガイド部の穴に挿入するとともに、前記太陽電池モジュールの枠体を、前記締結部材を締め付けて、前記押圧部材と架台との間で挟持することを特徴とする。
【００２６】
また本発明の太陽光発電システムは、前記連結部材により、隣接する複数個の前記架台と、前記太陽電池モジュールとが一括して固定されることを特徴とする。
【００２７】
また本発明の太陽光発電システムは、前記架台は、上方架台および下方架台からなり、これら架台により前記太陽電池モジュールを支持するようにしたことを特徴とする。
【００２８】
また本発明の太陽光発電システムは、前記上方架台の複数、および底辺架台の複数を用いて、その間にサイズの異なる太陽電池モジュールを載置可能と成したことを特徴とする。
【００２９】
また本発明の太陽光発電システムは、前記上方架台の複数、および底辺架台の複数を用いて、サイズの異なる太陽電池モジュールを混在して載置可能と成したことを特徴とする。
【発明の効果】
【００３０】
以上のとおり、本発明の太陽光発電システムによれば、架台が穴を備えた連結ガイド部を有するとともに、前記連結部材は、下方部材と、爪部を備えた上方部材と、前記下方部材及び上方部材を締め付ける締結部材と、前記上方部材の上方に延びる押圧部材とを有し、前記連結部材の爪部を前記連結ガイド部の穴に挿入するとともに、前記締結部材を締め付けることにより、前記太陽電池モジュールの枠体を、前記押圧部材と架台との間で挟持でき、複数個の上方架台または底辺架台同士の連結と、太陽電池モジュールを同時に固定する事が可能となる。その結果、上方架台または底辺架台への太陽電池モジュールの取り付けや、太陽光発電装置の連結において、ネジ等の締結部材を複数用いて締め付け固定することがなくなり、これにより、施工性が向上する。
【００３１】
また、本発明によれば、このように爪部を穴に挿入したことで、前後左右という四方の方向に対する耐久性が向上し、たとえば、通常、連結には挟持部分の締め付けトルクを非常に大きくする必要があったことに対し、本発明では締め付けトルクを軽減させて施工性を向上させることができる。
【００３２】
さらに隣接する底辺架台もしくは上辺架台同士の連結と、隣接する２枚の太陽電池モジュールの固定が、連結部材で挟持固定する事により同時に行え、施工工数の大幅な削減が可能となる。
【００３３】
さらにまた、本発明の太陽光発電システムによれば、連結部材を用いるだけで簡便に、太陽光発電装置を必要な数だけ設置でき、しかも上方架台または底辺架台と太陽電池モジュールの枠体は連結部材によって挟持固定されることから、１枚の太陽電池モジュールを複数の上方架台と底辺架台で支持するようにして支持強度を向上させることもできる。
【００３４】
また、前記太陽光発電システムに配した上方架台の複数、および底辺架台の複数を用いて、その間にサイズの異なる太陽電池モジュールを載置可能としたので、複数種の太陽電池モジュールに対応可能で、部品の共通化ができる。
【００３５】
さらにまた、前記太陽光発電システムに配した上方架台の複数、および底辺架台の複数の間にサイズの異なる太陽電池モジュールを混在して載置することができることから、標準サイズの太陽電池よりも面積の小さな太陽光発電モジュールであれば設置可能な面上に対して、面積の小さな太陽電池モジュールを配置して全体の発電電力総量を増やすことも可能となる。
【発明を実施するための最良の形態】
【００３６】
以下、本発明の太陽光発電システムの一実施形態について、模式的に示した図面に基づいて詳細に説明する。
【００３７】
図１は本発明の４個の太陽光発電装置を組み合わせて連結した状態を示した太陽光発電システムの斜視図、図２は連結金具の斜視図である。図３は、底辺架台、連結金具、太陽電池モジュールを組み立てする前の状態を示した斜視図であり、図４は図３が組み立てられた状態を示す斜視図である。
【００３８】
図５は、使用する太陽電池パネルの枠体４辺のうち対向する辺のどちらかが全て同じサイズの枠体であり、もう一方の対向する枠体の長さが異なった太陽電池モジュールを使用し組み立てする場合に連結金具を用い組み立てた斜視図である。
【００３９】
図６は太陽電池モジュールの断面図を、図７は太陽電池システムの斜視図をそれぞれ示す。
【００４０】
図１に示すように、本発明の太陽光発電システムＳによれば、５１は太陽電池部であり、この太陽電池部５１は太陽電池パネルに枠体を備えた太陽電池モジュール９（９ａ，９ｂ，９ｃ，９ｄ）を４個配列している。
【００４１】
個々の太陽電池モジュール９は、正方形状もしくは矩形状を成し、そして、いずれの太陽電池モジュール９（９ａ〜９ｄ）についても、対向辺部に太陽電池モジュール９（９ａ〜９ｄ）の一方端を低く支持する架台５２、太陽電池モジュール９（９ａ〜９ｄ）の他端を高く支持する架台５３を配置しており、それぞれが単体の太陽光発電装置としているが、この状態では前記太陽電池モジュール９と前記架台５２および架台５３とはまだ固定されてはいない。
【００４２】
これら架台５２、５３はアルミニウム金属やＳＵＳ、銅金属、真鍮などの耐候性に優れた導電性金属により成し、そして、それを所定の形状に成型すればよい。
【００４３】
このように本例の太陽電池部５１によれば、太陽電池モジュール９（９ａ〜９ｄ）を傾斜させて支持する上辺架台５３と底辺架台５２とを備えており、各太陽光発電装置を複数個隣接して配置するに当り、これら隣接する上辺架台５３同士および／または底辺架台５２同士を連結部材５で連結固定すると同時に、前記上辺架台５３と前記底辺架台５２と前記太陽電池モジュール９も挟持固定して太陽光発電システムＳと成る。
【００４４】
本例に用いる連結部材としての連結部材５は、板金を加工し、ボルトやネジなど締結部材を勘合した構造である。
【００４５】
連結部材５についても、同じくアルミニウム金属やＳＵＳ、銅金属、真鍮などの導電性金属により成し、所定の形状に成型すればよい。
【００４６】
本例によれば、４個の太陽光発電装置を、これら架台の配列方向と直交する方向にそって配置した太陽光発電システムＳとしているが、さらに架台の配列方向にも太陽光発電装置を配置した太陽光発電システムとしてもよく、これによってマトリックス状に太陽光発電装置を配列した太陽光発電システムとしてもよい。
【００４７】
このようなマトリックス配列については、図１に示すごとく、上部架台５３の一部の上に次に敷設する太陽光発電装置の底辺架台５２ｂを重ねて置くことで得られる。
【００４８】
かかる太陽光発電装置のマトリックス配列により、太陽光発電装置９ａ〜９ｄは隣接する太陽光発電装置の重量によっても押さえられ、これにより、太陽光発電システム全体の風圧荷重などによる浮き上がりに対する耐久力が向上する。
【００４９】
次に隣接する２つの太陽光発電装置が連結部材５によって挟持固定される状態を説明する。
【００５０】
図２に示す連結部材５によれば、上方部材２６と下方部材２７と締結部材（ネジやボルト）２８とから構成される。
【００５１】
上方部材２６には下方部材２７側に向かって突き出た爪部２９（２９ａ，２９ｂ）が２つ以上設けられている。また、上方部材２６の一辺は屈曲しており、太陽電池モジュールの浮き上がりを防止する押圧部材２４を形成している。
【００５２】
また、上方部材２６にはネジ２８を通す為の貫通穴２５が設けられており、締結部材２８は貫通穴２５を通った後、下方部材２７自体に設けられたネジ穴や、溶接されたナットや、別体として用意されたナットによって、上方部材２６と下方部材２７を用いてその間にあるものを挟持固定できるようにしている。
【００５３】
以上のごとく、本発明の締結部材は、締結部材２８と貫通穴２５、ならびに下方部材２７やこれに設けたネジ穴などから成る。
【００５４】
つぎに連結部材５でもって太陽電池モジュールと上辺架台または底辺架台を挟持固定する様子について、上辺架台の場合を例にとり説明する。
【００５５】
図３に示すように太陽光発電装置９ａ、９ｂは、それぞれ上辺架台の連結ガイド部７ａ、７ｂ上に太陽電池モジュール５１ａ、５１ｂが載置され、図示されていないが前記太陽電池モジュールの対向する辺が底辺架台上に同様に載置されて成る。連結ガイド部７（７ａ、７ｂ）はこれら架台が外側に向かって折り曲げられた形で設けられ、これらガイド部７ａ、７ｂにはそれぞれ穴６（６ａ、６ｂ）が設けられている。また、前記ガイド部７の端部については、幅を中央部等よりも少し短くしたことで、隣接する他の太陽光発電装置の連結ガイド部（図中７ａと７ｂ）と向かい合うことによってスリット８が形成される。
【００５６】
そして、前述した連結部材５を、前記連結ガイド部７（７ａ、７ｂ）が上方部材２６および下方部材２７の間に挟み込まれるようにして挿入し、かつ、爪部２９ａ、２９ｂをそれぞれ穴６ａ、６ｂに挿入する。前述したスリット８は上方部材２６と下方部材２７を繋いでいる締結部材２８が通るための通路である。
【００５７】
しかる後、図４に示すように、締結部材２８を締め付けることによって、押圧部材２４が太陽電池モジュール５１ａおよび５１ｂの枠部を押えつけ、それによって太陽電池モジュール５１ａが底辺架台５３ｂの連結ガイド部７ｂを押さえつけることになり、結果、連結ガイド部に挿入された上方部材２６および下方部材２７と押圧部材２４の２点を支点として太陽電池モジュールと架台の挟持固定が行われる。このとき同時に太陽電池モジュール５１ａと５１ｂと前記連結ガイド部７ａ、７ｂが同時に挟持固定されるので、太陽光発電装置９ａ、９ｂは強固に連結固定され、太陽光発電システムとなる。また、穴６に挿入された爪部２９によって太陽光発電装置９ａ、９ｂは前後左右への動きを制限されるので、締め付けによる挟持固定だけでは対応できない強大な応力に対しても連結状態を維持することができる。
【００５８】
また、施工に際して連結ガイド部７（７ａ、７ｂ）の配置が正しくないと爪部２９ａ、２９ｂが穴６に挿入できない。よって、本例においては、爪部２９ａ、２９ｂと穴６との双方の位置関係を規定し、そして、この位置関係にしたがって連結部材５の取付を行うことにより、太陽光発電装置の正しい位置出しをすることができる。
【００５９】
つぎに太陽電池モジュール１９の構成を述べる。
【００６０】
以下に、一般的なラミネート式の製造方法で作られる太陽電池モジュールを例にして説明する。
【００６１】
図６に示すように、太陽電池モジュール５１は、受光面にガラスや樹脂等の光透過板１４が設けられ、この光透過板１４に多数の太陽電池素子１３がＥＶＡ樹脂（Ｅｔｈｙｌｅｎｅ−Ｖｉｎｙｌ  Ａｃｅｔａｔｅ）等からなる封止材１５によってラミネートされ、その裏面である非受光面にはテフロン（登録商標）フィルムやＰＶＦ（ポリフッ化ビニル）、ＰＥＴ（ポレエチレンテレフタレート）などの耐候性フィルム１６が貼着されたものである。
【００６２】
太陽電池素子１３としては、たとえばシリコン系半導体やガリウムヒ素等から成る化合物半導体などの単結晶、多結晶や非晶質の材料が用いられ、互いに直列および／または並列に電気的に接続されている。
【００６３】
太陽電池モジュール５１の裏面、すなわち耐候性フィルム１６の上にはＡＢＳ樹脂などの合成樹脂やアルミニウム金属などで構成したジャンクションボックス１２を接着し、太陽電池モジュール５１の出力電力を取り出すターミナルに接続された送電線により出力が取り出される。
【００６４】
なお、これら光透過板１４、太陽電池素子１３および耐候性フィルム１６の重ね構造の矩形状の本体に対し、その各辺周囲をアルミニウム金属やＳＵＳ等から成る枠体１１を挟み込むように装着し、太陽電池モジュール５１の強度を向上させ、また、太陽電池モジュールを架台等に固定する際に挟持固定に耐え得るようにする役割を果たす。
【００６５】
また、図４に示すように連結部材５が連結ガイド部７（７ａ、７ｂ）を挟持固定すると同時に、押圧部材２４が太陽電池モジュール５１（図中では５１ａと５１ｂ）の浮き上がりを押えるようにしている。これにより、風荷重或は負圧荷重と呼ばれる太陽電池モジュール５１（５１ａ、５１ｂ）が浮き上がろうとする力を、隣接する上部架台同士または底部架台同士で支えるようになり、その結果、太陽光発電装置９（９ａ、９ｂ）の風荷重に対する抵抗力がより一層向上する。すわわち、図５に示すようなマトリクス状に配置された太陽光発電システムにおいて、太陽光発電装置を、架台の配列方向と直交する方向にそって複数個、もしくはさらに太陽光発電装置を、架台の配列方向にも複数個、配置したことで、太陽光発電システム全体の重量が増大し、これにより、風等による負圧荷重で太陽電池モジュール等が飛ばされないよう支えることができる。
【００６６】
かくして本例の太陽光発電システムによれば、上記構成のように太陽光発電装置を設置するに当り、連結部材５にて取付し、なんら設置手段を用いなくても、置くだけであり、また、屋根等の設置面に対しアンカー工事を行わなくなり、基礎工事が不要となった。そして、これに伴って生じる屋根への雨水の浸入等の不具合が防止でき、さらに防水処理のための工事を省くことができた。
【００６７】
さらに本例によれば、屋上面の日射による老朽化が進み、定期的なメンテナンスによるコンクリート面の張替え作業などの場合に、容易に分解、移設が可能であり、基礎を埋設させる従来方式では懸案となっていた設置面のメンテナンスにも対応が可能となった。
【００６８】
さらに隣接する底辺架台もしくは上辺架台同士の連結と、隣接する２枚の太陽電池モジュールの固定が、連結部材で挟持固定する事により同時に行え、施工工数の大幅な削減が可能となった。
【００６９】
さらに本例では、各部材を固定するために使用する連結部材を、底辺架台、上辺架台のいずれにも使用できるように共通化したことで、部品点数を大幅に削減された。
【００７０】
また、予め連結部材にはボルトを勘合させた状態で使用することで、ボルトをなくす、落とす、入れにくいなどのヒューマンエラーが削減できた。
【００７１】
さらにまた、本例によれば、屋根上への基礎の埋設工事が必要なくなり、そのために日射量の多い方角、すなわち発電量を多く取れる方位へ、適宜、設置することができ、効率的な発電ができた。
【００７２】
また、本例によれば、基準となる部品は必要無く、また、墨だし作業等の事前の位置決めを必要としないことから、太陽光発電システムの組立て時間を大幅に短縮できた。
【００７３】
さらにまた、撤去やメンテナンス等での一部取外しも容易であり、太陽光発電装置を複数設置した太陽光発電システムとした場合、特に作業工数の削減が顕著になった。
【００７４】
さらに本例では、繰り返し作業を行うことで、組み立てができるという組立作業時の簡便さを備えており、一度に複数の作業を必要とする従来の作業形態とは異なり、これにより、作業人員の削減やヒューマンエラーによる作業ミスの発生度合が減少した。
【００７５】
さらに各部材は作業員一人で持ち運べる重量（約７〜１７ｋｇｆ程度）であり、重量物運搬時の危険を極めて減少させた部材構成となっている。
【００７６】
（例２）
図１に示すごとく、４個の太陽光発電装置を、これら架台の配列方向と直交する方向にそって配置した太陽光発電システムとしているが、さらに架台の配列方向にも太陽光発電装置を配置した太陽光発電システムとしてもよく、これによってマトリックス状に太陽光発電装置を配列した太陽光発電システムとしてもよい。
【００７７】
本例においては、太陽光発電装置をマトリックス状に配列した太陽光発電システムを述べる。
【００７８】
このようなマトリックス配列については、図１に示すごとく、上部架台５３の一部の上に次に敷設する太陽光発電装置の底辺架台５２ｂを重ねて置くことで、図５に示すような太陽光発電システムが得られる。
【００７９】
かかる太陽光発電装置のマトリックス配列により、太陽光発電装置９ａ〜９ｄは次に敷設する太陽光発電装置９ｅ〜９ｈの重量によっても押さえられ、これにより、太陽光発電システム全体の風圧荷重などによる浮き上がりに対する耐久力が向上する。
【００８０】
以上のように、順次、太陽光発電装置を載置・連結していくことで、図５に示すような太陽電池アレイが完成する。このような太陽光発電システムにおいては、太陽光発電装置９ａ〜９ｄおよび太陽光発電装置９ｅ〜９ｈがそれぞれ連結固定されており、これにより、風荷重による浮き上がりに対して連結された太陽光発電装置（太陽光発電システム）の総重量で対抗するので、単体で設置される場合よりも大きな風荷重に耐えることができる。
【００８１】
さらに前述したように、太陽光発電装置９ｅ〜９ｈの底部架台は太陽光発電装置９ａ〜９ｄの上部架台上に重ねられているので、太陽光発電装置９ａ〜９ｄの抵抗力はさらに向上する。
【００８２】
また、前述のように太陽光発電システムの自重で風荷重に対抗させるのでは一部の太陽光発電装置（たとえば９ｅや９ｈ）が他よりも抵抗力で劣るといったバラツキが生じることもあり、そこで、図５に示すごとく、上部架台や底部架台上に重し部材であるウェイト７０を配して風荷重への抵抗力の向上を図ることもできる。この際、風荷重のかかり方に合わせて各部のウエイトの重量を増減させてバラツキを調整し、重量増加を最小限に抑えられるようにするとよい。たとえば、対向する双方の架台は必ずしも同一重量もしくは同一構造のウェイト７０で押えられるようにする必要は無く、一方の架台および他方の架台に対し、それぞれ重量もしくは構造を違えた個別のウェイトを用いてもよい。なお、ウェイト７０はコンクリート塊や鉄などの金属から成る重し部材である。
【００８３】
このようにすることで重量物によって太陽光発電システムは設置面に強固に押し付けられ、風荷重に対する抵抗力を有するようになる。
【００８４】
また、本例によれば、上記構成のように重し部材を配して、かかる太陽光発電装置を設置するように成し、これにより、なんら設置手段を用いなくても、置くだけであり、また、屋根等の設置面に対しアンカー工事を行わなくなり、基礎工事が不要となる。そして、これに伴って生じる屋根への雨水の浸入等の不具合が防止でき、さらに防水処理のための工事を省くことができる。
【００８５】
たとえば、一方の架台と他方の架台を配置し、太陽電池モジュールを設置し、その後に一方の架台および他方の架台に対し、それぞれ重し部材を配するという工程があるが、他に、たとえば一方の架台および他方の架台に対し、それぞれ重し部材を配すると同時に、あるいは前後して、太陽電池モジュールを設置してもよく、その作業性を考えて、適宜、組立工程が選択でき、このように作業手順に制限を受けないことで、各様に組み立てることができた。
【００８６】
また、本例によれば、一方の架台および/または他方の架台を、重し部材を配すべく所定形状に成形したことで、これら架台を運搬するに当り、架台を重ね合わせて運搬することができ、これにより、トラックなどの荷台のスペースを有効に利用することができ、その他、折り曲げ加工後の仮り置き時、設置現場に架台を仮置きする時など、そこでの限られたスペースや空間に多数の架台を保管することができ、保管場所に要する面積を縮小することができる。
【００８７】
さらにまた、本例によれば、前記重し部材の重量を、太陽光発電装置に加わる風に対する風荷重に耐え得ることを基準にしたことで、その重量を設定すればよく、そのような基準でもって風荷重に対し太陽光発電装置を耐え得るように設計できる。
【００８８】
かくして本例によれば、一方の架台および他方の架台に対し、それぞれカウンターウェイト（重し部材）を置く構造であり、これによって作業手順に制限を受けなくなり、その結果、作業効率が上がり、作製コストの低減をはかることができた。
【００８９】
前述した例１、例２においては、対向する架台の間に空間領域を成したことで、双方の架台間に対し空気流が生成され、太陽電池モジュールを上げるように作用しなくなり、この空気流でもって、太陽電池モジュールを軽量化に働かなくなり、さらには太陽電池モジュールを、その空間領域の減圧でもって、下げるように作用させることもでき、これにより、一方の架台と他方の架台との双方の重量（自重）でもって太陽電池モジュールを支えるに当り、その不足分を補うことができ、その結果、風等による負圧荷重で太陽電池モジュール等が飛ばされないよう支えることができた。
【００９０】
これに対し、図７に示すような風向板５４を設けて、空間領域に入る空気流を阻止するような空気流入阻止部材を設けて、架台の間の空間領域に風が侵入しにくいようにして風荷重に対する抵抗力を向上させるようにしてもよい。
【００９１】
つぎに他の例を述べる。
【００９２】
（例３）
図７は本例の太陽光発電システムに用いた連結部材の斜視図であり、同図に示すように、上方部材２６と下方部材２７を１枚の板により形成したものであり、１枚の板を折り曲げることで、上方部材２６と下方部材２７を一体的に構成している。
【００９３】
上方部材２６と下方部材２７とが分離しない構成であることで、締結部材２８の緩めすぎに起因する脱落がない。さらに上方部材２６と下方部材２７とが個別になっていることで、紛失しないという利点もある。
【００９４】
また、折り曲げ部５６を上方部材や下方部材の幅よりも短くして、少ない力で屈曲可能とすれば、締結部材２８を締め付けていくときに、それに対する反力が小さくなり、これにより、締め付けトルクを軽減させることができ、その結果、施工性が向上する。
【００９５】
（例４）
図８に示すように、連結部材の太陽電池モジュールを押える部分を押圧部材２４ａのように歯型状にして、太陽電池モジュールを挟持固定する際に太陽電池モジュールの枠部に押圧部材の歯が食い込んで容易に脱落しないようにすれば、あたかも太陽電池モジュールの枠部が押圧部材の延長であるかのようになり、底部架台や上部架台の挟持位置を精度よく、かつ確実に固定することができる。
【００９６】
（例５）
図９に示す太陽光発電装置Ｓ２の太陽光発電装置９ｅのように、複数の上部架台もしくは複数の底部架台で１枚の太陽電池モジュールを載置するようにしてもよい。
【００９７】
具体的には、例えば上部架台５３ｃおよび５３ｄと、底部架台５２ｃおよび５２ｄの間に太陽電池モジュール５１ｅを載置し、連結部材５で固定する。
【００９８】
このとき、太陽電池モジュール５１ｅの中央部を固定する連結部材５ｃは、図１０に示すように、上辺架台の連結ガイド部７ａ、７ｂ上に太陽電池モジュール５１ｅの中央部が載置され、連結部材５を、前記連結ガイド部７（７ａ、７ｂ）が上方部材２６および下方部材２７の間に挟み込まれるようにして挿入し、かつ、爪部２９ａ、２９ｂをそれぞれ穴６ａ、６ｂに挿入する。しかる後、締結部材２８を締め付けることによって、連結部材２４の押圧部材２４が太陽電池モジュール５１ｅの枠部と、底辺架台５３ｂの連結ガイド部７ｂを押えつけ、連結ガイド部に挿入された上方部材２６および下方部材２７と押圧部材２４の２点を支点として太陽電池モジュールと架台の挟持固定が行われる。
【００９９】
このように太陽電池モジュールを複数の架台で支えるようにすれば、太陽電池モジュールに加わる外力（風による正圧荷重や負圧荷重、落下物や作業者の乗りなど）を分散させ、より強固な太陽光発電システムとすることができる。
【０１００】
もうひとつの効果としてはサイズの大きな太陽電池モジュールを載置可能とすることができる。
【０１０１】
さらに他の効果としては図９のように大小異なるサイズの太陽電池モジュールを混在して載置することができるので、たとえば主として太陽電池モジュール５１ｅの大型モジュールを多数配置し、余った設置場所では大型モジュールは置けないとなったとき、太陽電池モジュール５１ａのような小型モジュールを設置することで、太陽光発電システム全体の総発電容量を増加させることが可能となるのである。
【０１０２】
なお、本発明は上記実施例に限定されるものではなく、本発明の要旨を逸脱しない範囲内で種々の変更や改良等はなんら差し支えない。
【０１０３】
たとえば、図９における太陽電池モジュール５１ｅの載置は上部架台５３ｂ、５３ｃ、５３ｄのように２個以上であっても良く、太陽電池モジュール５１ｅの端部が上部架台５３ｂと５３ｃの連結部上ではなく上部架台５３ｂの中央部にはみ出した状態であってもよく、必ずしも太陽電池モジュールと架台の長さが同一である必要はない。同様に、上部架台と底部架台の長さも同一でなくてもよい。
【図面の簡単な説明】
【０１０４】
【図１】本発明に係る太陽光発電システムの概要を模式的に示す斜視図である。
【図２】本発明に係る太陽光発電システムに用いる連結部材の構成を示す斜視図である。
【図３】本発明に係る太陽光発電システムの連結部材と架台および太陽電池モジュールの組立の様子を説明する斜視図である。
【図４】本発明に係る太陽光発電システムの太陽電池モジュールが、架台と連結部材とにより挟持される様子を説明する斜視図である。
【図５】本発明に係る他の太陽光発電システムの概要を模式的に示す斜視図である。
【図６】本発明に係る太陽光発電システムに用いる太陽電池モジュールの概略断面図である。
【図７】本発明に係る太陽光発電システムに用いる他の連結部材の構成を示す斜視図である。
【図８】本発明に係る太陽光発電システムに用いる他の第二の連結部材の構成を示す斜視図である。
【図９】本発明に係る他の第二の太陽光発電システムの構成を模式的に示す斜視図である。
【図１０】本発明に係る太陽光発電システムの他の実施例において架台および太陽電池モジュールが連結部材により挟持される様子を説明する斜視図である。
【図１１】従来の太陽電池モジュールを模式的に説明する断面図である。
【図１２】従来の太陽光発電装置の斜視図である。
【符号の説明】
【０１０５】
１：基礎
３、３ａ〜３ｃ：支持金具
４：基台レール
５、５ｃ：連結部材
６、６ａ、６ｂ：穴
７、７ａ、７ｂ：連結ガイド部
８：スリット
９、９ａ〜９ｅ：太陽光発電装置
１０：枠体
１１：枠体
１２：ジャンクションボックス
１３：太陽電池素子
１４：光透過板
１５：封止材
１６：耐候性フィルム
２４、２４ａ：押圧部材
２５：貫通穴
２６：上方部材
２７：下方部材
２８：締結部材
２９、２９ａ、２９ｂ：爪部
５１、５１ａ、５１ｅ：太陽電池モジュール
５２、５２ｂ〜５２ｄ：底辺架台
５３、５３ａ〜５３ｄ：上辺架台
５４：風向板
５６：折り曲げ部
７０：ウェイト
Ｓ、Ｓ２：太陽光発電システム
【図１】
2006278481.tif 000003
【図２】
2006278481.tif 000004
【図３】
2006278481.tif 000005
【図４】
2006278481.tif 000006
【図５】
2006278481.tif 000007
【図６】
2006278481.tif 000008
【図７】
2006278481.tif 000009
【図８】
2006278481.tif 000010
【図９】
2006278481.tif 000011
【図１０】
2006278481.tif 000012
【図１１】
2006278481.tif 000013
【図１２】
2006278481.tif 000014